(57)【要約】【課題】公差吸収機能を有しないスライドレールが用いられても、支障なく組み立てることができ、収納スペースも大きく確保され、引き出し本体がスムーズに走行される引き出し装置を提供する。【解決手段】引き出し本体１の両側外面と外箱体２の両側内面との間を各々スライドレール３を介し結合させた引き出し装置において、引き出し本体１の両側外面を構成する側部材４とこの両側部材４をその周囲角部分で相互に連結する連結部材５とで同引き出し本体１を形成し、一方の側部材４に突設されるバー材６と他方の側部材４に突設されて同バー材６の先端に穿設された摺動受け穴７にスライド自在に挿入されるピン８とで前記連結部材５を形成した。【選択図】　　　　　図１
2004016371.tif 000002
【特許請求の範囲】
【請求項１】
引き出し本体の両側外面と外箱体の両側内面との間を各々スライドレールを介し結合させて、外箱体内に引き出し本体を出し入れスライド自在に収容してなる引き出し装置であって、引き出し本体の両側外面を構成する側部材とこの両側部材をその周囲角部分で相互に連結する連結部材とで同引き出し本体を形成し、一方の側部材に突設されるバー材と他方の側部材に突設されて同バー材の先端に穿設された摺動受け穴にスライド自在に挿入されるピンとで前記連結部材を形成してなる引き出し装置。
【請求項２】
一方の側部材にネジ片を一体に突出形成し、このネジ片にバー材の基端に穿設されたネジ穴を進退自在に螺合して、同バー材を突出長さ調整自在に突設させたことを特徴とする請求項１記載の引き出し装置。
【請求項３】
矩形の側部材の対向角部分にネジ片を突出形成してこの対向角部分にバー材を突設し、同側部材の残る対向角部分にピンを突設させたことを特徴とする請求項２記載の引き出し装置。
【請求項４】
両側部材を各々矩形の枠体で形成してこの両側部材の上枠部間に上方へ開口した収納ボックスを架設し、この架設係合部位において、同収納ボックスの端縁フランジ部を側部材の上枠部上に引き出し本体の巾方向で摺動自在に係合させたことを特徴とする請求項１〜３のいずれか一つに記載の引き出し装置。
【発明の詳細な説明】
【０００１】
【発明の属する技術分野】
本発明は、外箱体内に引き出し本体を出し入れスライド自在に収容してなるもので、台所等に設置されるキャビネットの引き出し装置に関するものである。
【０００２】
【従来の技術】
従来から、図６に示す如く、引き出し本体１の両側外面と外箱体２の両側内面との間を各々スライドレール３を介し結合させて、外箱体２内に引き出し本体１を出し入れスライド自在に収容してなる引き出し装置は知られている。この引き出し装置にあっては、外箱体２が前方に開口した箱型であり、引き出し本体１は前後方向にスライドされて同外箱体２の前方開口部分から出し入れされるものである。又、スライドレール３はベアリングレールであり、引き出し本体１の両側に配設されている。
【０００３】
ここで、外箱体２は矩形の木質板を箱型に組み立てたもので台所等に設置施工されるものであり、この場合、同外箱体２の組立寸法誤差によって、この外箱体２の両側内面と引き出し本体１の両側外面との隙間寸法（Ｌ×２）にバラツキを生じる。このような場合、ベアリングレールであるスライドレール３では、前記隙間寸法のバラツキを吸収することができず、同スライドレール３のスライド走行がスムーズでなくなったり、最悪、同スライドレール３を取り付けることができなくなって、施工不可能な状態に陥ることもあった。
【０００４】
そこで、従来、引き出し装置を備えた台所キャビネットのような組立式の家具の場合、一般には、図７、８に示すような引き出し装置が採用されている。ここでの引き出し装置にあっては、スライドレール３が外ガイドレール２６と内ガイドレール２７及び両ガイドレール２６、２７間に介在される二つのガイドローラ２８、２９でなり、ベアリングレールではない。この場合、外ガイドレール２６は外箱体２の側板１４内面に固定され、この外ガイドレール２６の下側に引き出し本体１の下端外側に取り付けられた一方のガイドローラ２９が転動自在に係合される。又、内ガイドレール２７は引き出し本体１の下端外側縁に沿って固定され、この内ガイドレール２７が外箱体２の側板１４内面に取り付けられた他方のガイドローラ２８上に係合支持される。そして、両ガイドレール２６、２７が相互に両ガイドローラ２８、２９を介してスライド自在に係合され、スライドレール３は伸縮自在なものとなっている。
【０００５】
この引き出し装置にあっては、図８に示す如く、片側のスライドレール３ａが公差吸収機能を有しており、外箱体２の両側内面と引き出し本体１の両側外面との前記隙間寸法（Ｌ×２）のバラツキを吸収することができる。すなわち、片側のスライドレール３ａにあっては、内ガイドレール２７がガイドローラ２８に対し、ガイドローラ２９が外ガイドレール２６に対し、いずれも引き出し本体１の巾方向で可動状態にあり（反対側のスライドレール３ｂでは両ガイドローラ２８、２９が内ガイドレール２７及び外ガイドレール２６に規制されて巾方向には可動しない）、片側の隙間寸法（Ｌ）の変化に対応し得るものである。したがって、前記隙間寸法のバラツキが吸収されて、スライドレール３を支障なく取り付けることができ、スムーズなスライド走行も確保される。
【０００６】
なお、同引き出し装置にあっては、図７に示す如く、引き出し本体１が枠組みフレーム体でなり、軽量化されている。すなわち、前後で直立する両門型フレーム２４を上下の水平な両矩形フレーム２５を介して結合固着することで引き出し本体１を形成し、前側の門型フレーム２４の前面には、外箱体２の前方開口部分を開閉する扉板２２を取り付けている。又、上下の両矩形フレーム２５には、上方へ開口した収納ボックス（図示せず）を上方から嵌め込んで取り付けることもできる。
【０００７】
【発明が解決しようとする課題】
しかしながら、上記図７、８に示した従来の技術にあっては、公差吸収機能を有するスライドレール３ａが用いられることで上記のような利点はあるが、次のような問題も発生するものである。すなわち、上記の如く、片側だけに公差吸収機能を有するスライドレール３ａを採用した場合、両側の各隙間寸法（Ｌ）が均等とならず、引き出し本体１が片寄ってしまいバランス良く支持されない。又、両側のスライドレール３ａ、３ｂを共に公差吸収機能を有するものとすると、引き出し本体１は巾方向にズレ動くものとなりスムーズなスライド走行ができなくなってしまう。又、いずれにしても、スライドレール３に公差吸収機能を持たせると、引き出し本体１の巾寸法がどうしても小さくなってしまい、この引き出し本体１によっては十分な収納スペースが確保され難いものであった。
【０００８】
それ故、図６に示す如く、公差吸収機能を有しない、例えば、ベアリングレールのようなスライドレール３を採用したいところであるが、この場合には、上記のような組立上の問題が発生する。又、このような場合、引き出し本体１の巾寸法を変化調整自在とすれば良いのであるが、これに関連する技術は一般には知られておらず、例えば、実開平６−３４５４１号公報に巾寸法の調整が可能な収納棚構造が開示され、実開平２−４４３１号公報に伸縮パイプにより巾調整が可能な伸縮パイプ棚が開示される程度である。
【０００９】
本発明は、上記従来の技術における問題を悉く解決するために発明されたもので、その課題は、公差吸収機能を有しないスライドレールが用いられても、支障なく同スライドレールを取り付けて組み立てることができ、しかも、引き出し本体による収納スペースが大きく確保され、同引き出し本体がバランス良くスムーズに走行される引き出し装置を提供することである。
【００１０】
【課題を解決するための手段】
本発明の請求項１記載の引き出し装置は、引き出し本体の両側外面と外箱体の両側内面との間を各々スライドレールを介し結合させて、外箱体内に引き出し本体を出し入れスライド自在に収容してなる引き出し装置であって、引き出し本体の両側外面を構成する側部材とこの両側部材をその周囲角部分で相互に連結する連結部材とで同引き出し本体を形成し、一方の側部材に突設されるバー材と他方の側部材に突設されて同バー材の先端に穿設された摺動受け穴にスライド自在に挿入されるピンとで前記連結部材を形成してなるものである。
【００１１】
したがって、この場合、バー材先端の摺動受け穴に挿入されるピンがスライドすることにより両側部材間の間隔が変化されるので、引き出し本体の巾寸法を調整することができる。それ故、外箱体の両側内面間の寸法が変化しても、これに対応して引き出し本体の巾寸法を変化調整し、同引き出し本体の両側外面と外箱体の両側内面との間を各々公差吸収機能を有しないスライドレールを介し結合させて、支障なく組み立てることができる。しかも、公差吸収機能を有しない薄型のベアリングレール等をスライドレールとして用いることで、外箱体の両側内面と引き出し本体の両側外面との隙間寸法を小さくすることができ、同引き出し本体による収納スペースを大きく確保することができる。又、両側の隙間寸法が均等となって引き出し本体はバランス良く支持され、巾方向でのズレ動きもなくなってスムーズに出し入れスライド走行される。更に、引き出し本体は両側部材とその周囲角部分を相互に連結する連結部材とで形成されるので、軽量で簡単な構造であり組立作業も容易なものとなる。
【００１２】
本発明の請求項２記載の引き出し装置は、上記請求項１記載の引き出し装置において、一方の側部材にネジ片を一体に突出形成し、このネジ片にバー材の基端に穿設されたネジ穴を進退自在に螺合して、同バー材を突出長さ調整自在に突設させたことを特徴とするものである。
【００１３】
したがって、この場合は特に、バー材を回動させることによりその突出長さが調整されるので、上記摺動受け穴に挿入されるピンのスライド範囲では不足する場合でも、同バー材の突出長さ調整によって簡単に対応することができ、引き出し本体の巾寸法調整範囲をより大きく確保することができる。
【００１４】
本発明の請求項３記載の引き出し装置は、上記請求項２記載の引き出し装置において、矩形の側部材の対向角部分にネジ片を突出形成してこの対向角部分にバー材を突設し、同側部材の残る対向角部分にピンを突設させたことを特徴とするものである。
【００１５】
したがって、この場合は特に、ネジ片及びピンが矩形の側部材の角部分に対向配置されるので、同ネジ片及びピンを備えた一種の側部材を両側部材として共用することが可能となり、部材削減を図ることができる。
【００１６】
本発明の請求項４記載の引き出し装置は、上記請求項１〜３のいずれか一つに記載の引き出し装置において、両側部材を各々矩形の枠体で形成してこの両側部材の上枠部間に上方へ開口した収納ボックスを架設し、この架設係合部位において、同収納ボックスの端縁フランジ部を側部材の上枠部上に引き出し本体の巾方向で摺動自在に係合させたことを特徴とするものである。
【００１７】
したがって、この場合は特に、両側部材が各々矩形の枠体で形成されて、更なる軽量化が図られ、又、同両側部材の上枠部間に上方へ開口した収納ボックスが架設されて、この収納ボックスにより引き出し本体の内部が使い勝手の良い有効な収納スペースとして活用されるようになる。しかも、前記収納ボックスはその端縁フランジ部が側部材の上枠部上に引き出し本体の巾方向で摺動自在に係合されることによって架設されているので、引き出し本体の巾寸法が変化調整されても同収納ボックスは支障なく架設される。
【００１８】
【発明の実施の形態】
図１〜５は、本発明の請求項１〜４全てに対応する一実施形態を示し、この実施形態の引き出し装置は、引き出し本体１の両側外面と外箱体２の両側内面との間を各々スライドレール３を介し結合させて、外箱体２内に引き出し本体１を出し入れスライド自在に収容してなる。この引き出し装置において、引き出し本体１の両側外面を構成する側部材４とこの両側部材４をその周囲角部分で相互に連結する連結部材５とで同引き出し本体１を形成し、一方の側部材４に突設されるバー材６と他方の側部材４に突設されて同バー材６の先端に穿設された摺動受け穴７にスライド自在に挿入されるピン８とで前記連結部材５を形成している。この場合、一方の側部材４にネジ片９を一体に突出形成し、このネジ片９にバー材６の基端に穿設されたネジ穴１０を進退自在に螺合して、同バー材６を突出長さ調整自在に突設させてもいる。
【００１９】
そして、この引き出し装置においては、矩形の側部材４の対向角部分にネジ片９を突出形成してこの対向角部分にバー材６を突設し、同側部材４の残る対向角部分にピン８を突設させている。又、両側部材４を各々矩形の枠体で形成してこの両側部材４の上枠部１１間に上方へ開口した収納ボックス１２を架設し、この架設係合部位において、同収納ボックス１２の端縁フランジ部１３を側部材４の上枠部１１上に引き出し本体１の巾方向で摺動自在に係合させてもいる。
【００２０】
次に、この引き出し装置の具体的構造を詳細に説明する。外箱体２は前方に開口した奥行き寸法の長い縦長状の箱型で、矩形の木質板により組み立てられたものであり、台所の流し台等と並べ台所キャビネットとして設置施工されるものである。引き出し本体１は全体が骨組み形状で、金属製のフレーム材で組み立てられたものであり、前後方向にスライド走行されて前記外箱体２の前方開口部分から出し入れされるものである。
【００２１】
スライドレール３は、図２に示す如く、薄型のベアリングレールであり、外箱体２の側板１４内面に取着固定される外側レール材１５と、引き出し本体１の側部材４外側に取着固定される内側レール材１６と、この外側レール材１５、内側レール材１６間に介在係合されて両者を転動ガイドするベアリング材１７と、でなる。この場合、外側レール材１５は外箱体２の側板１４内面にネジ１８で取着固定され、内側レール材１６は引き出し本体１の側部材４外側にビス１９で取着固定され、両者はベアリング材１７を介して前後方向に伸縮自在となり、このようなスライドレール３を介して引き出し本体１は外箱体２に前後方向スライド走行自在に支持される。
【００２２】
引き出し本体１の両側部材４となる矩形の枠体は、金属製の中空パイプ材を矩形状に折曲して形成されている。矩形状の側部材４の上下方向中程部位にはその外側に、スライドレール３の内側レール材１６が前後に架設固定されており、この内側レール材１６は同側部材４を補強している。両側部材４の四角部分にはピン８及びネジ片９が交互に内方へ突設され、その際、このピン８及びネジ片９は同側部材４に溶接等で固着一体化されており、その突出寸法はピン８とネジ片９とで略同程度である。連結部材５となるバー材６は金属製の中空パイプ材でなり、その一方の端部開口がその内周に雌ネジを刻設することでネジ穴１０となり、他方の端部開口が摺動受け穴７となっている。
【００２３】
そして、図３に示す如く、バー材６の一方の端部開口であるネジ穴１０が前記一方の側部材４に突出形成されたネジ片９に進退自在に螺合され、この状態で、同バー材６は螺合により進退調整されて一方の側部材４に所定の突出長さ寸法で突設一体化される。バー材６の他方の端部開口である摺動受け穴７は前記他方の側部材４に突設されたピン８にスライド自在に嵌挿され、同ピン８の突出寸法の範囲内で連結部材５全体の長さ寸法が変化調整される。又、このピン８の突出寸法の範囲内での長さ寸法調整で不足する場合には、前記バー材６を回動操作することで、連結部材５の長さ寸法調整の範囲が前記ネジ片９の螺合の範囲分拡大される。このように、連結部材５全体の長さ寸法が変化調整されることで、両側部材４間の間隔は変化され、引き出し本体１の巾寸法が調整される。
【００２４】
両側部材４の上枠部１１間には収納ボックス１２が着脱自在に架設されており、この収納ボックス１２は上方へ開口した矩形箱型で合成樹脂にて一体に形成されたものである。収納ボックス１２の上方開口縁には外方へ折曲したフランジ片が一体に形成されており、同収納ボックス１２の両側長手方向のフランジ片は先端が下方へ折曲して端縁フランジ部１３となり、側部材４の上枠部１１上に係合されている。この場合、図４に示す如く、端縁フランジ部１３の巾寸法が側部材４の上枠部１１の径よりも大きく形成されていて、この上枠部１１上に同端縁フランジ部１３は引き出し本体１の巾方向で摺動自在に係合されることとなる。それ故、前記の如く、両側部材４間の間隔が変化されても、収納ボックス１２は支障なく架設される。
【００２５】
又、この場合、収納ボックス１２は両側部材４の上枠部１１間に架設されるだけでも良いが、図４に二点鎖線で示す如く、両側部材４の上下方向中程部位にも中桟材２０を前後方向に架設固定して、この両中桟材２０間にも同様に収納ボックス２１を着脱自在に架設しても良い。なお、引き出し本体１の巾寸法が大きく変化調整されるような場合、収納ボックス１２（収納ボックス２１）はその巾寸法の異なる複数種類のものが用意されていても良い。
【００２６】
引き出し本体１の前面には矩形の木質板でなる扉板２２が付設されており、この扉板２２は同引き出し本体１の出し入れスライド走行に伴って外箱体２の前方開口部分を開閉するものである。又、扉板２２は引き出し本体１の前側に位置する上下の連結部材５間に架設されるものであり、この場合、図５に示す如く、連結部材５となるバー材６に同扉板２２の裏面にネジ１８で取着固定される取付具２３が係止されて架設固定される。取付具２３はＬ型金具であり、上下に対向するように配設固定されて上下の両バー材６を挟持するように保持する。ここで、引き出し本体１の巾寸法が変化調整されても、扉板２２は上下の両バー材６間に支障なく係止架設されている。
【００２７】
したがって、この実施形態の引き出し装置においては、バー材６先端の摺動受け穴７に挿入されるピン８がスライドすることにより両側部材４間の間隔が変化されるので、引き出し本体１の巾寸法を調整することができる。それ故、外箱体２の両側内面間の寸法が変化しても、これに対応して引き出し本体１の巾寸法を変化調整することで、同引き出し本体１の両側外面と外箱体２の両側内面との間を各々公差吸収機能を有しないベアリングレールであるスライドレール３を介し結合させて支障なく組み立てることができ、その際、同ベアリングレールであるスライドレール３のスライド走行性にも支障を来すことがない。
【００２８】
しかも、公差吸収機能を有しない薄型のベアリングレールをスライドレール３として用いているので、外箱体２の両側内面と引き出し本体１の両側外面との隙間寸法は小さくなっており、同引き出し本体１による収納スペースがその巾方向に大きく確保される。又、両側の隙間寸法が均等となって引き出し本体１はバランス良く支持され、巾方向でのズレ動きもなくなってスムーズに出し入れスライド走行される。更には、引き出し本体１が両側部材４とその周囲角部分を相互に連結する連結部材５とで形成されるので、軽量で簡単なフレーム構造であり組立作業も容易なものとなっている。
【００２９】
又、この実施形態の引き出し装置においては、バー材６を回動させることによりその突出長さが調整されるので、上記摺動受け穴７に挿入されるピン８のスライド範囲では不足する場合でも、同バー材６の突出長さ調整によって製造工場だけでなく施工現場においても簡単に対応することができ、引き出し本体１の巾寸法調整範囲をより大きく確保することができ、ベアリングレールであるスライドレール３のスライド走行性も確保される。
【００３０】
又、この実施形態の引き出し装置においては、ネジ片９及びピン８が矩形の側部材４の角部分に対向配置されているので、同ネジ片９及びピン８を備えた一種の側部材４を両側部材４として共用し、これにより部材削減が図られており、更に、この場合、両側部材４が各々矩形の枠体で形成されて更なる軽量化も図られている。そして、両側部材４の上枠部１１間には上方へ開口した収納ボックス１２が着脱自在に架設されていて、この収納ボックス１２により引き出し本体１の内部が使い勝手の良い有効な収納スペースとして活用される。しかも、この収納ボックス１２は端縁フランジ部１３が側部材３の上枠部１１上に引き出し本体１の巾方向で摺動自在に係合されることによって架設されているので、引き出し本体１の巾寸法が変化調整されても同収納ボックス１２は支障なく架設される。
【００３１】
【発明の効果】
上述の如く、本発明の請求項１記載の引き出し装置においては、外箱体の両側内面間の寸法変化に対応して引き出し本体の巾寸法が変化調整され、公差吸収機能を有しないスライドレールを用いても支障なく組み立てることができる。しかも、公差吸収機能を有しない薄型のスライドレールを用いることにより、両側の隙間寸法を小さくすることができて、引き出し本体による収納スペースを大きく確保することができる。又、両側の隙間寸法が均等となって引き出し本体はバランス良く支持され、巾方向でのズレ動きもなくなってスムーズに出し入れスライド走行されるようになり、同引き出し本体の軽量化や組立簡易化も図られる。
【００３２】
又、本発明の請求項２記載の引き出し装置においては、特に、バー材を回動させてその突出長さを調整することにより簡単に、引き出し本体の巾寸法調整範囲をより大きく確保することができる。
【００３３】
又、本発明の請求項３記載の引き出し装置においては、特に、ネジ片及びピンが矩形の側部材の角部分に対向配置されて、一種の同側部材を両側部材として共用することが可能となり、部材削減を図ることができる。
【００３４】
又、本発明の請求項４記載の引き出し装置においては、特に、両側部材が各々矩形の枠体で形成されて、更なる軽量化が図られ、又、収納ボックスにより引き出し本体の内部が使い勝手の良い有効な収納スペースとして活用されるようになる。しかも、前記収納ボックスはその端縁フランジ部が側部材の上枠部上に引き出し本体の巾方向で摺動自在に係合されることにより架設されていて、引き出し本体の巾寸法が変化調整されても同収納ボックスは支障なく架設される。
【図面の簡単な説明】
【図１】本発明の一実施形態である引き出し装置の全体を示す概略分解斜視図。
【図２】同引き出し装置におけるスライドレールの部位を示す縦断面図。
【図３】同引き出し装置における連結部材の部位を示す縦断面図。
【図４】同引き出し装置における収納ボックスの架設係合部位を示す縦断面図。
【図５】同引き出し装置における前面の扉板取付部位を示す縦断面図。
【図６】従来例である引き出し装置を示す概略縦断面図。
【図７】別の従来例である引き出し装置の全体を示す概略斜視図。
【図８】同引き出し装置におけるスライドレールの部位を示す縦断面図。
【符号の説明】
１　引き出し本体
２　外箱体
３　スライドレール
４　側部材
５　連結部材
６　バー材
７　摺動穴
８　ピン
９　ネジ片
１０　ネジ穴
１１　上枠部
１２　収納ボックス
１３　端縁フランジ部
【図１】
2004016371.tif 000003
【図２】
2004016371.tif 000004
【図３】
2004016371.tif 000005
【図４】
2004016371.tif 000006
【図５】
2004016371.tif 000007
【図６】
2004016371.tif 000008
【図７】
2004016371.tif 000009
【図８】
2004016371.tif 000010